(57)【要約】【課題】  面倒な引き返し編みを用いず、他の部分よりも強い踵部を有した毛糸の靴下を提供すること。【解決手段】  毛糸を編んで全体が略くの字状に編成された靴下１であって、爪先を覆う爪先部２と、踵を覆う踵部３と、足裏及び足甲を覆うと共に爪先部２と踵部３とを接続する下部筒編み部４と、該下部筒編み部４と踵部３とに接続され少なくとも足首を覆う上部筒編み部５と、から構成され、下部筒編み部４および上部筒編み部５が、ゴム編みで編まれ、踵部３の少なくとも一部が、袋編みで編まれている。【選択図】      図１
0003159398.tif 000002
【実用新案登録請求の範囲】
【請求項１】
毛糸を編んで全体が略くの字状に編成された靴下であって、
爪先を覆う爪先部と、
踵を覆う踵部と、
足裏及び足甲を覆うと共に前記爪先部と前記踵部とを接続する下部筒編み部と、
該下部筒編み部と前記踵部とに接続され少なくとも足首を覆う上部筒編み部と、から構成され、
前記下部筒編み部および前記上部筒編み部が、ゴム編みで編まれ、
前記踵部の少なくとも一部が、袋編みで編まれていることを特徴とする靴下。
【考案の詳細な説明】
【技術分野】
【０００１】
本考案は、毛糸を編んで編成された靴下に関する。
【背景技術】
【０００２】
従来、靴下では、踵部が他の部分よりも痛みやすく、編み込んだ糸が早く破れてしまう場合があることから、踵部を補強したものが知られている。例えば、特許文献１では、口編部・身編部・踵部・足部・爪先部よりなる靴下において、踵部を含む任意の領域に、靴下の編み組織を構成する表糸の外側に補強糸としてラップ糸を挿入して当該編み組織を包み込む形で編成することにより、通常の編み組織とラップ糸を挿入した編み組織を混在せしめ靴下の美観性又は機能性を高めた靴下が提案されている。
【先行技術文献】
【特許文献】
【０００３】
【特許文献１】実用新案登録第３１３６６１８号公報
【考案の概要】
【考案が解決しようとする課題】
【０００４】
上記従来の技術には、以下の課題が残されている。
従来は、踵部に補強糸を挿入して補強しているが、この場合、靴下本体を編み込む地糸とは別にラップ糸を用意して編み込む必要があり、手間であるという不都合があった。特に、編み棒による毛糸の手編みで靴下を編成する場合には、補強糸を別途編み込むのは面倒であると共に、補強糸を十分に編み込まなければ必要な補強効果を得ることができない。また、手編みで靴下を編成する場合、引き返し編みによって踵部を編む方法もあるが、直線編みに比べて面倒であるという問題があった。
【０００５】
本考案は、前述の課題に鑑みてなされたもので、面倒な引き返し編みを用いず、他の部分よりも強い踵部を有した毛糸の靴下を提供することを目的とする。
【課題を解決するための手段】
【０００６】
本考案は、前記課題を解決するために以下の構成を採用した。すなわち、本考案の靴下は、毛糸を編んで全体が略くの字状に編成された靴下であって、爪先を覆う爪先部と、踵を覆う踵部と、足裏及び足甲を覆うと共に前記爪先部と前記踵部とを接続する下部筒編み部と、該下部筒編み部と前記踵部とに接続され少なくとも足首を覆う上部筒編み部と、から構成され、前記下部筒編み部および前記上部筒編み部が、ゴム編みで編まれ、前記踵部の少なくとも一部が、袋編みで編まれていることを特徴とする。
【０００７】
この靴下では、踵部の少なくとも一部が、袋編みで編まれているので、補強糸を別途編み込む必要や面倒な引き返し編み等が不要で直線編みにより編成でき、袋編みによって踵部が二重になり他の部分に比べて厚く強くすることができる。また、下部筒編み部および上部筒編み部が、ゴム編みで編まれているので、足にフィットして脱げ難くすることができる。
【考案の効果】
【０００８】
本考案によれば、以下の効果を奏する。
すなわち、本考案に係る靴下によれば、下部筒編み部および上部筒編み部が、ゴム編みで編まれ、踵部の少なくとも一部が、袋編みで編まれているので、面倒な引き返し編みを用いずに直線編みで済むと共に袋編みで踵部が二重になり厚く強くすることができ、さらにゴム編みにより足にフィットして脱げ難くすることができる。
【図面の簡単な説明】
【０００９】
【図１】本考案に係る一実施形態の靴下を示す斜視図である。
【図２】本実施形態において、第１の工程の編み方を示す説明図である。
【図３】本実施形態において、第１の工程の編み方を示す説明図である。
【図４】本実施形態において、第２の工程の編み方を示す説明図である。
【図５】本実施形態において、第３の工程の編み方を示す説明図である。
【図６】本実施形態において、第４の工程の編み方を示す説明図である。
【図７】本実施形態において、第５の工程の編み方を示す説明図である。
【図８】本実施形態において、第５の工程の編み方を示す説明図である。
【図９】本実施形態において、第６の工程の編み方を示す説明図である。
【図１０】本実施形態において、第６の工程の編み方を示す説明図である。
【図１１】本実施形態において、第６の工程の編み方（袋編み部分）を示す説明図である。
【図１２】本実施形態において、第７の工程の編み方を示す説明図である。
【考案を実施するための形態】
【００１０】
以下、本考案に係る靴下の一実施形態を、図１から図１２を参照しながら説明する。なお、以下の説明に用いる各図面では、各部を認識可能又は認識容易な大きさとするために必要に応じて縮尺を適宜変更している。
【００１１】
本実施形態の靴下１は、図１に示すように、毛糸を編んで全体が略くの字状に編成された靴下であって、爪先を覆う爪先部２と、踵を覆う踵部３と、足裏及び足甲を覆うと共に爪先部２と踵部３とを接続する下部筒編み部４と、該下部筒編み部４と踵部３とに接続され少なくとも足首を覆う上部筒編み部５と、から構成され、下部筒編み部４および上部筒編み部５が、ゴム編みで編まれ、踵部３の少なくとも一部が、袋編みで編まれている。
【００１２】
この靴下１の編み方について、以下に詳述する。
例えば、並太毛糸および３号棒の編み棒を用いて２１目×２６段が１０ｃｍ角となるゲージで、婦人用寸法（２３ｃｍサイズ）として足首回り２１ｃｍ、踵丈４ｃｍ、先端からくるぶしまでの距離１７ｃｍに設定した靴下を編む場合について説明する。なお、ゴム編みでもメリヤス編みでゲージを図り、目数を出すことにより、足にフィットさせることができる。
【００１３】
まず、図２および図３に示すように、足首回り４２目（足首回り２０ｃｍ×横ゲージ）×１／２である２１目を編み始めの作り目とし、別色糸６のくさり目を編み棒Ｓに拾い目し、３本の編み棒Ｓに分ける（第１の工程）。なお、この別色糸６のくさり目は、あとで切り取る。
【００１４】
次に、図４に示すように、地糸７によりメリヤス編みで環状に３段編み、４段目に１目おき増し目して（第２の工程）、図５に示すように、倍の４２目とする（第３の工程）。そして、図６に示すように、５段目より１回１目ゴム編みにより筒状に編んでいく。このように、爪先から編んで、面倒な引き返しを行わない（第４の工程）。
【００１５】
編み始めてから５〜６ｃｍで、爪先部２を別糸８により先に絞る。すなわち、図７に示すように、向こう側から針Ｈで１目１回手前に別糸（拾い糸）８を引くことで、先端を絞って爪先部２を形成する。なお、図８に示すように、端目を１目、輪にしてくぐらせて絞っておく（第５の工程）。このように、爪先部２を絞ることで爪先部２が断面略半円状の型になり、今までに無く指先にゆとりができて楽な履き心地を得ることができる。
【００１６】
そして、爪先からくるぶしまでの寸法、例えば１７ｃｍまでゴム編みを筒状に続けて下部筒編み部４を形成した後、図９に示すように、踵部３を編む（第６の工程）。すなわち、まず、図１０に示すように、２１目先に半分に分け、足甲側の半分に明るい色の別糸１０を通して休めておき、足裏側の半分をそのまま踵部３として編み進める。
【００１７】
踵部３は、まずゴム編みで６段編み、次に袋編みで１２段編み、さらにゴム編みで６段編んで踵丈の約２倍の長さだけ形成する。このとき、ゴム編み６段と袋編み６段とで踵丈４ｃｍ分になるが、実際は１ｃｍ短く、３ｃｍになる。このように、踵部３を、ゴム編み、袋編みおよびゴム編みの順に編むことにより、徐々に袋編み部分に向けて絞られた踵部３を得ることができる。
【００１８】
この踵部３を編む際、踵部３は、両端を表目にするため、踵側の端目を１目作り目しておく。
なお、足首の目が４２目の場合、１／２に分けたときに２１目ずつになる両端表目であり、このときは増し目を行わない。なお、片端が裏目のときは、図９に示すように、両端が表目になるように黒丸印の両側のどちらかで増し目を行って調節する。
【００１９】
踵部３の袋編みは、図１１の（ａ）に示すように、ゴム編み６段の次の袋編みの両端が表のときも裏編みのときも端目を編む。すなわち、端を編み、裏目の上に地糸７をのせ、次の表目を編む。また、図１１の（ｂ）に示すように、裏目のときは、すべり目をするが、編む毎（毎段）に裏目のときに、すべり目を行う。すなわち、裏、表、往復裏編みの上に地糸７をのせ、すべり目を行う。したがって、１２段編んでも表目は１／２の６段となり、袋状に編まれる。なお、すべり目とは、編まないで片方の編み棒（例えば、右棒）に渡し、次の目は編む方法である。
【００２０】
次に、踵部３が編み上がったら、図１２の（ａ）に示すように、別糸１０で休めておいた足甲側の半分に再び編み棒Ｓを差し入れ、再び筒状にゴム編みをして所定長さまで上部筒編み部５を編んでいく（第７の工程）。なお、１目増した目は、図１２の（ｂ）に示すように、黒丸印の位置で減らしておく。また、このとき、自然に全体が略くの字状になって屈曲点となる踵部３が形成されると共に、踵部３の両側に孔部３ａが形成される。なお、上部筒編み部５の履き口は、編み棒を太くしてゴム編みして、緩めに編んでおくことが好ましい。
そして、上部筒編み部５が編み上がった後、最後に孔部３ａを閉じ合わせて靴下１が作製される。
【００２１】
このように本実施形態の靴下１は、踵部３の少なくとも一部が、袋編みで編まれているので、補強糸を別途編み込む必要や面倒な引き返し編み等が不要で直線編みができ、袋編みによって踵部３が二重になり他の部分に比べて厚く強くすることができる。また、下部筒編み部４および上部筒編み部５が、ゴム編みで編まれているので、足にフィットして脱げ難くすることができる。また、爪先部２が従来に無い断面略半円状に絞られているので、特に指先における履き具合が良い。
【００２２】
また、通常、靴下は履き口から編み始めて踵部から爪先部へと編んでいくが、本実施形態では、爪先から編んで爪先部２を断面略半円状にし、足首に向かって編むので、毛糸が少し不足の場合でも加減ができると共に簡単に編むことができるメリットがある。また、図を参照してゲージを取り、目数が出せるので、各自の寸法でセーター等とお揃いの靴下を編むことができる。
【００２３】
なお、本考案の技術範囲は上記実施形態に限定されるものではなく、本考案の趣旨を逸脱しない範囲において種々の変更を加えることが可能である。
例えば、上記実施形態では先端が一つに閉じた爪先部２であるのに対し、親指と他の４本の指とに対応させて２つに分けた爪先部とした靴下や、五本指それぞれに対応して先端が分かれた爪先部の靴下としても構わない。
【符号の説明】
【００２４】
１…靴下、２…爪先部、３…踵部、４…下部筒編み部、５…上部筒編み部、７…地糸
【図１】
0003159398.tif 000003
【図２】
0003159398.tif 000004
【図３】
0003159398.tif 000005
【図４】
0003159398.tif 000006
【図５】
0003159398.tif 000007
【図６】
0003159398.tif 000008
【図７】
0003159398.tif 000009
【図８】
0003159398.tif 000010
【図９】
0003159398.tif 000011
【図１０】
0003159398.tif 000012
【図１１】
0003159398.tif 000013
【図１２】
0003159398.tif 000014